(57)【特許請求の範囲】
【請求項１】
反転バネ機能を有する金属製可動接点が押圧操作される複数のスイッチ部材と、
該複数のスイッチ部材が第１面に実装された基板部材と、を備え、
該基板部材が第１ケース体と第２ケース体との間に保持されて成る操作スイッチ装置において、
前記第１ケース体には、前記スイッチ部材の近傍領域の前記第１面に当接する複数の第１音色調節部材が一体に成形され、
前記第２ケース体には、前記スイッチ部材の略真裏の領域に相当する前記基板部材の第２面に当接する複数の第２音色調節部材が一体に成形され、
前記基板部材が、前記第１音色調節部材と前記第２音色調節部材の両方から常に応力を受けた状態で保持されており、
前記第１音色調節部材と前記第２音色調節部材の少なくともいずれか一方には、前記基板部材と当接する当接部を有し、
該当接部の先端部が前記基板部材よりも柔らかい合成樹脂からなり、かつ、該先端部の形状が尖っており、
前記先端部と前記基板部材との間に過剰な応力がかかった際には、前記先端部が微少量つぶれることを特徴とする操作スイッチ装置。
【請求項２】
前記当接部は、前記第１ケース体側或いは前記第２ケース体側から前記基板部材側に向かって順次細くなっていることを特徴とする請求項１に記載の操作スイッチ装置。
【請求項３】
前記第１音色調節部材は、該第１音色調節部材と複数の前記スイッチ部材との距離が略同じとなる領域に当接しており、前記第１音色調節部材の数が前記スイッチ部材の数よりも少ないことを特徴とする請求項１または請求項２に記載の操作スイッチ装置。
【発明の詳細な説明】
【技術分野】
【０００１】
本発明は、複数のスイッチ部材を有した操作スイッチ装置に関し、特に、スイッチ部材が反転バネ機能を有する金属製可動接点を備えた操作スイッチ装置に関する。
【背景技術】
【０００２】
一般に、複数のスイッチ部材を有した操作スイッチ装置は、あらゆる分野の各種電子機器に幅広く用いられている。また、反転バネ機能を有する金属製可動接点を備えたスイッチ部材を用いた操作スイッチ装置に限っても、携帯電話、パーソナルコンピュータ、テレビやエアコンのリモコン、各種機器の操作パネル等、多くの電子機器に適用されている。このスイッチ部材は、操作者による押圧操作を受けて、金属製可動接点が反転し、反転先の固定接点と金属製可動接点とが当接することにより、スイッチ機能を発現させている。その際に、金属製可動接点の反転により、操作者に対して節度感（クリック感）と操作音を与えることができるので、操作者により好まれている。
【０００３】
このような操作スイッチ装置は、特許文献１に代表される構成を基本的に備えている。図１８は、従来例の温水洗浄装置操作盤（操作スイッチ装置）９０１を説明する図であって、図１８（ａ）は、温水洗浄装置操作盤９０１の平面図であり、図１８（ｂ）は、温水洗浄装置操作盤９０１の縦断面図である。
【０００４】
図１８に示す操作スイッチ装置（温水洗浄装置操作盤）９０１は、プリント基板９０２と、プリント基板９０２に配置された複数の操作スイッチ９０３と、プリント基板９０２を収納するケース９０７と、プリント基板９０２を覆うようにして配設された操作面（第１操作面９０５、第２操作面９０４）と、を備えて構成されている。また、第１操作面９０５は扉のように一端を中心として開閉自在に組付け、更に第１操作面９０５が開いた状態の時にオフ状態となる切替スイッチ９０６をプリント基板９０２の上に配置している。なお、プリント基板９０２は、ケース９０７の底部９０７ａに設けられたリブ９０７ｒ及びリブ９０７ｔを用いて、ケース９０７に固定されている。
【０００５】
そして、操作者が第１操作面９０５（図１８（ａ）を参照）或いは第２操作面９０４の機能させたい表示部（例えば図１８（ａ）に示すＫＳ）を押すと、その部分の操作スイッチ９０３（例えば図１８（ｂ）に示す９０３ｓ）が押圧され、その機能が行われる。
【先行技術文献】
【特許文献】
【０００６】
【特許文献１】実開平５−３２４７０号公報
【発明の概要】
【発明が解決しようとする課題】
【０００７】
しかしながら、従来例のような構成の場合、プリント基板９０２を両端部で支えているので、操作者の押圧操作の圧力により、プリント基板９０２の中央部では、両端部に比べてプリント基板９０２の撓みが大きくなっている。このため、プリント基板９０２の中央部付近に配設された操作スイッチ９０３を押した場合、操作スイッチ９０３の押圧方向の動き（以後、振動という）が大きくなり、押圧操作に追従した金属製可動接点の反転が速やかに行われなくなる。これにより、押圧操作時の操作音が低くこもったような音となり、プリント基板９０２の撓みが小さい両端部にある操作スイッチ９０３を押した際の、キレのある音を出すことができないという課題があった。このことにより、操作者によっては、操作スイッチ９０３を押した際に、操作音のバラつきに対して不快感を持ったり、操作スイッチ９０３を確実に押せたかどうかの判断に疑義を生じるという場合があった。
【０００８】
本発明は、上述した課題を解決するもので、複数のスイッチ部材の操作音が均一でキレのある操作スイッチ装置を提供することを目的とする。
【課題を解決するための手段】
【０００９】
この課題を解決するために、本発明の操作スイッチ装置は、反転バネ機能を有する金属製可動接点が押圧操作される複数のスイッチ部材と、該複数のスイッチ部材が第１面に実装された基板部材と、を備え、該基板部材が第１ケース体と第２ケース体との間に保持されて成る操作スイッチ装置において、前記第１ケース体には、前記スイッチ部材の近傍領域の前記第１面に当接する複数の第１音色調節部材が一体に成形され、前記第２ケース体には、前記スイッチ部材の略真裏の領域に相当する前記基板部材の第２面に当接する複数の第２音色調節部材が一体に成形され、前記基板部材が、前記第１音色調節部材と前記第２音色調節部材の両方から常に応力を受けた状態で保持されており、前記第１音色調節部材と前記第２音色調節部材の少なくともいずれか一方には、前記基板部材と当接する当接部を有し、該当接部の先端部が前記基板部材よりも柔らかい合成樹脂からなり、かつ、該先端部の形状が尖っており、前記先端部と前記基板部材との間に過剰な応力がかかった際には、前記先端部が微少量つぶれることを特徴としている。
【００１０】
これによれば、本発明の操作スイッチ装置は、スイッチ部材を動作させた際に、スイッチ部材が配置された部分の基板部材が撓んだり振動したりすることを大幅に低減することができる。しかも、複数のスイッチ部材の近傍領域の第１面と略真裏の領域の第２面とを押圧しているので、複数のスイッチ部材の近傍の基板部材を確実かつ均一に押さえることができる。このことにより、基板部材のいずれの位置にあるスイッチ部材に対して、スイッチ部材の振動を抑えることができ、複数のスイッチ部材の操作音を全て均一でキレのある音とすることができる。
【００１１】
また、本発明の操作スイッチ装置は、前記当接部が前記第１ケース体側或いは前記第２ケース体側から前記基板部材側に向かって順次細くなっていることを特徴としている。
【００１２】
これによれば、基板部材と当接させる当接面の面積を小さくすることができる。このため、基板部材の第１面或いは第２面に設けられた配線パターンと当接部の当接面との接触を避けるレイアウトを行い易くできる。
【００１４】
これによれば、先端部と基板部材との間に過剰な応力がかかった際には、先端部が微少量つぶれることで、基板部材にかかる応力を緩和することができる。このことにより、基板部材にかかるダメージを軽減することができる。
【００１５】
また、本発明の操作スイッチ装置は、前記第１音色調節部材が、該第１音色調節部材と複数の前記スイッチ部材との距離が略同じとなる領域に当接しており、前記第１音色調節部材の数が前記スイッチ部材の数よりも少ないことを特徴としている。
【００１６】
これによれば、スイッチ部材を動作させた際に生じる、スイッチ部材が配置された部分の基板部材の撓みや振動を１つの第１音色調節部材でバランス良く防止することができる。このため、基板部材を押さえる第１音色調節部材のトータルの数を減らすことができるので、基板部材上における当接箇所を減らすことができる。このことにより、当接箇所を回避した配線パターンのレイアウトをより行い易くできる。
【発明の効果】
【００１７】
本発明の操作スイッチ装置は、スイッチ部材を動作させた際に、スイッチ部材が配置された部分の基板部材が撓んだり振動したりすることを大幅に低減することができる。しかも、複数のスイッチ部材の近傍領域の第１面と略真裏の領域の第２面とを押圧しているので、複数のスイッチ部材の近傍の基板部材を確実かつ均一に押さえることができる。このことにより、基板部材のいずれの位置にあるスイッチ部材に対して、スイッチ部材の振動を抑えることができ、複数のスイッチ部材の操作音を全て均一でキレのある音とすることができる。
【図面の簡単な説明】
【００１８】
【図１】本発明の第１実施形態の操作スイッチ装置を説明する分解斜視図である。
【図２】本発明の第１実施形態の操作スイッチ装置を説明する斜視図である。
【図３】本発明の第１実施形態の操作スイッチ装置を説明する図であって、図３（ａ）は、図２をＸ１側から見た側面図であり、図３（ｂ）は、図２をＺ１側から見た上面図である。
【図４】本発明の第１実施形態の操作スイッチ装置を説明する図であって、図２において、操作部材と支持カバーを省略した斜視図である。
【図５】本発明の第１実施形態の操作スイッチ装置を説明する図であって、図４において、第１ケース体及び第２ケース体を更に省略した斜視図である。
【図６】本発明の第１実施形態の操作スイッチ装置を説明する図であって、図６（ａ）は、図５をＹ２側から見た正面図であり、図６（ｂ）は、図５をＸ２側から見た側面図である。
【図７】本発明の第１実施形態の操作スイッチ装置を説明する図であって、スイッチ部材の分解斜視図である。
【図８】本発明の第１実施形態の操作スイッチ装置を説明する図であって、図８（ａ）は、図４において、アクチュエータを更に省略した斜視図であり、図８（ｂ）は、図８（ａ）をＺ１側から見た上面図である。
【図９】本発明の第１実施形態の操作スイッチ装置を説明する図であって、図９（ａ）は、図８（ａ）をＹ１側から見た側面図であり、図９（ｂ）は、図８（ｂ）に示すＩＸ−ＩＸ線における図４の断面図である。
【図１０】本発明の第１実施形態の操作スイッチ装置を説明する図であって、第１ケース体を図１に示すＺ２側から見た下方斜視図である。
【図１１】本発明の第１実施形態の操作スイッチ装置を説明する図であって、図１０に示すＮ部分の拡大図である。
【図１２】本発明の第１実施形態の操作スイッチ装置を説明する図であって、図１２（ａ）は、第１ケース体の上面図であり、図１２（ｂ）は、第１ケース体の底面図である。
【図１３】本発明の第１実施形態の操作スイッチ装置を説明する図であって、図８（ａ）において、第１ケース体を更に省略した斜視図である。
【図１４】本発明の第１実施形態の操作スイッチ装置を説明する図であって、第２ケース体を図１に示すＺ１側から見た上方斜視図である。
【図１５】本発明の第１実施形態の操作スイッチ装置を説明する図であって、図１５（ａ）は、第２ケース体の上面図であり、図１５（ｂ）は、第２ケース体をＸ２側から見た側面図である。
【図１６】本発明の第１実施形態の操作スイッチ装置を説明する図であって、図１６（ａ）は、図１４に示すＰ部分の拡大図であり、図１６（ｂ）は、図１５（ｂ）に示すＱ部分の拡大図である。
【図１７】本発明の第１実施形態の操作スイッチ装置の効果を説明する図であって、図１７（ａ）は、本発明の構成を用いた場合のスイッチ部材の音を示したグラフであり、図１７（ｂ）は、比較例のスイッチ部材の音を示したグラフである。
【図１８】従来例の温水洗浄装置操作盤（操作スイッチ装置）を説明する図であって、図１８（ａ）は、温水洗浄装置操作盤の平面図であり、図１８（ｂ）は、温水洗浄装置操作盤の縦断面図である。
【発明を実施するための形態】
【００１９】
以下、本発明の実施の形態について図面を参照して説明する。
【００２０】
［第１実施形態］
図１は、本発明の第１実施形態の操作スイッチ装置１０１を説明する分解斜視図である。図２は、本発明の第１実施形態の操作スイッチ装置１０１を説明する斜視図である。図３は、本発明の第１実施形態の操作スイッチ装置１０１を説明する図であって、図３（ａ）は、図２をＸ１側から見た側面図であり、図３（ｂ）は、図２をＺ１側から見た上面図である。図４は、図２において、操作部材１１と支持カバー５２を省略した斜視図である。
【００２１】
本発明の第１実施形態の操作スイッチ装置１０１は、図２及び図３に示すような箱状の外観を呈し、図１に示すように、操作者により押圧操作される操作部材１１と、操作部材１１の押圧操作により駆動されるスイッチ部材３と、複数のスイッチ部材３が第１面９ｐに実装された基板部材９と、基板部材９の第１面９ｐ側に配設される第１ケース体４と、第１面９ｐとは反対の第２面９ｒ側に配設される第２ケース体６と、を備えて構成されている。他に、本発明の第１実施形態の操作スイッチ装置１０１は、操作部材１１を上下方向（図３（ａ）に示すＺ方向）に移動可能に支持している支持カバー５２と、操作部材１１の押圧操作によりスイッチ部材３に駆動力を伝達するアクチュエータ５５と、を有している。
【００２２】
先ず、操作スイッチ装置１０１の操作部材１１は、合成樹脂材を成形して作製されており、図１に示すように、箱状形状をした１２個の押しボタンから構成されている。そして、操作者による押圧操作がこの操作部材１１に対して行われると、下方に配設されたスイッチ部材３がアクチュエータ５５を介して駆動される。なお、本発明の第１実施形態では、押圧操作を行うように構成したが、これに限らず、傾倒操作、スライド操作等が行えるように構成されていても良い。
【００２３】
次に、操作スイッチ装置１０１の支持カバー５２は、合成樹脂材を成形して作製されており、図１に示すように、箱状形状をしており、詳細な図示はしないが、操作部材１１の上下方向の移動を可能にして操作部材１１をガイドしている。
【００２４】
また、支持カバー５２は、第１ケース体４の上面を覆って配設されており、操作スイッチ装置１０１の外観を形成している。また、支持カバー５２内には、図４に示すように、アクチュエータ５５が収容されている。
【００２５】
次に、操作スイッチ装置１０１のアクチュエータ５５、スイッチ部材３及び基板部材９について説明する。図５は、図４において、第１ケース体４及び第２ケース体６を更に省略した斜視図である。図６（ａ）は、図５をＹ２側から見た正面図であり、図６（ｂ）は、図５をＸ２側から見た側面図である。図７は、スイッチ部材３の分解斜視図である。
【００２６】
先ず、操作スイッチ装置１０１のアクチュエータ５５は、図５に示すように、４個の円筒形状のアクチュエータ５５Ａと、４個の棒状形状のアクチュエータ５５Ｂと、４個の箱状のアクチュエータ５５Ｃと、から構成されている。そして、この１２個のアクチュエータ５５は、図６に示すように、１２個のスイッチ部材３とそれぞれ対向して配設されているとともに、図示はしていないが、前述した操作部材１１のそれぞれと対向して配設されている。これにより、操作者による操作部材１１の押圧操作を受けて、このアクチュエータ５５が下方に移動し、スイッチ部材３を押圧するようになる。
【００２７】
また、アクチュエータ５５Ａには、図５及び図６に示すように、アクチュエータ５５Ａの円柱部５５Ａｅに挿通されて鍔部５５Ａｔと当接されたコイルばね９５が用いられている。そして、操作者による操作部材１１の押圧操作が解除された際には、アクチュエータ５５Ａの下方（図５に示すＺ２方向）移動により縮んでいたこのコイルばね９５により、操作部材１１が元の位置に自動復帰するようになる。また、このコイルばね９５のバネ定数を選定することで、操作者が操作をする際の操作荷重の大小を調整することができる。
【００２８】
次に、操作スイッチ装置１０１のスイッチ部材３は、一般に用いられているプッシュスイッチを１２個用いており、図７に示すように、収納部５３ｓを有する筐体５３と、収納部５３ｓ内に配設された中央固定接点部（図示していない）及び周辺固定接点部６３と、押圧操作による反転バネ機能を有する金属製可動接点７３と、金属製可動接点７３を押圧する押圧部材８３と、筐体５３の収容部５３ｓを覆い筐体５３に取り付けられるカバー９３と、中央固定接点部及び周辺固定接点部６３と電気的に接続されたリード端子３ｔと、を備えて構成される。
【００２９】
また、操作スイッチ装置１０１が組立てられた際には、このスイッチ部材３は、カバー９３の開口部９３ｋから突出した押圧部材８３の押圧部８３ｔとアクチュエータ５５Ａの下端とがそれぞれと対向して配設されるようになる。そして、上述したように、アクチュエータ５５Ａを介して、操作部材１１の押圧操作によりスイッチ作動するようになる。
【００３０】
次に、操作スイッチ装置１０１の基板部材９は、ガラス入りのエポキシ樹脂からなる絶縁基板の両面に、銅（Ｃｕ）等の金属箔を所望の形状にパターニングした、所謂両面プリント配線板（ＰＷＢ、printed wiring board）を用いている。そして、この基板部材９には、図５及び図６に示すように、１２個のスイッチ部材３が基板部材９の第１面９ｐに実装されているとともに、図示していない各種電子部品、外部機器と接続するためのコネクタＣＮ等が搭載されている。
【００３１】
次に、操作スイッチ装置１０１の第１ケース体４及び第２ケース体６について説明する。図８（ａ）は、図４において、アクチュエータ５５を更に省略した斜視図であり、図８（ｂ）は、図８（ａ）をＺ１側から見た上面図である。図９（ａ）は、図８（ａ）をＹ１側から見た側面図であり、図９（ｂ）は、図８（ｂ）に示すＩＸ−ＩＸ線における図４の断面図である。図１０は、第１ケース体４を図１に示すＺ２側から見た下方斜視図である。図１１は、図１０に示すＮ部分の拡大図である。図１２（ａ）は、第１ケース体４の上面図であり、図１２（ｂ）は、第１ケース体４の底面図である。図１２には、スイッチ部材３と対応する箇所を２点鎖線とハッチングで示している。図１３は、図８（ａ）において、第１ケース体４を更に省略した斜視図である。図１４は、第２ケース体６を図１に示すＺ１側から見た上方斜視図である。図１５（ａ）は、第２ケース体６の上面図であり、図１５（ｂ）は、第２ケース体６をＸ２側から見た側面図である。図１５（ａ）には、図１２と同じように、スイッチ部材３と対応する箇所を２点鎖線で示している。図１６（ａ）は、図１４に示すＰ部分の拡大図であり、図１６（ｂ）は、図１５（ｂ）に示すＱ部分の拡大図である。
【００３２】
先ず、操作スイッチ装置１０１の第１ケース体４は、合成樹脂材を成形して作製されており、図１０及び図１２に示すように、片側（下方）が開放された箱状形状をしており、図８及び図９に示すように、第２ケース体６の上面を覆うともに、基板部材９の第１面９ｐ側に配設されている。
【００３３】
また、第１ケース体４には、図１０及び図１２（ｂ）に示すように、６個の第１音色調節部材１４が一体に成形されている。この第１音色調節部材１４は、図１１に示すように、円柱形状で、第１ケース体４の天井部４ｔ側から下方（図１０に示すＺ２方向）に向けて延設されており、操作スイッチ装置１０１が組立てられた際には、スイッチ部材３の近傍領域で基板部材９の第１面９ｐに当接するように設けられている。また、第１音色調節部材１４が基板部材９と当接する当接部１４ｓの形状は、図１１に示すように、平面形状になっている。なお、第１音色調節部材１４は、基板部材９に対して垂直になるように設けられている。
【００３４】
また、本発明の第１実施形態のでは、第１音色調節部材１４は、図１２（ｂ）に示すように、第１音色調節部材１４と複数のスイッチ部材３との距離が略同じとなる領域に当接させており、第１音色調節部材１４の数がスイッチ部材３の数よりも少なくしている。具体的には、１２個のスイッチ部材３に対して、６個に第１音色調節部材１４（１４Ａ、１４Ｂ、１４Ｃ、１４Ｄ、１４Ｅ、１４Ｆ）を設けている。そして、例えば第１音色調節部材１４Ａは、３つのスイッチ部材３（３Ａ、３Ｂ、３Ｃ）との距離が略同じとなる領域に配置しており、例えば第１音色調節部材１４Ｂは、４つのスイッチ部材３（３Ｂ、３Ｃ、３Ｄ、３Ｅ）との距離が略同じとなる領域に配置しており、例えば第１音色調節部材１４Ｃは、４つのスイッチ部材３（３Ａ、３Ｃ、３Ｆ、３Ｇ）との距離が略同じとなる領域に配置している。
【００３５】
これにより、ある１つの第１音色調節部材１４と複数のスイッチ部材３との距離が同じになるようにすることで、スイッチ部材３を動作させた際に生じるスイッチ部材３が配置された部分の基板部材９の撓みや振動を１つの第１音色調節部材１４でバランス良く防止することができる。このため、基板部材９を押さえる第１音色調節部材１４のトータルの数を減らすことができるので、基板部材９上における当接箇所を減らすことができる。このことにより、当接箇所を回避した配線パターンのレイアウトをより行い易くできる。
【００３６】
最後に、操作スイッチ装置１０１の第２ケース体６は、合成樹脂材を成形して作製されており、図１４及び図１５に示すように、片側（上方）が開放された箱状形状をしており、図９（ｂ）及び図１３に示すように、基板部材９の第１面９ｐの裏面である第２面９ｒ側に配設されている。そして、操作スイッチ装置１０１が組立てられた際には、基板部材９は、第２ケース体６に載置され、第１ケース体４と第２ケース体６との間に保持されるようになる。
【００３７】
また、第２ケース体６には、図１４及び図１５（ａ）に示すように、底部６ｂに設けられたリブ６ｒから延設した１１個の第２音色調節部材２６が一体に成形されている。この第２音色調節部材２６は、図１６に示すように、円柱形状で、第２ケース体６の底部６ｂ側から上方（図１４に示すＺ１方向）に向けて延設されており、操作スイッチ装置１０１が組立てられた際には、図１５（ａ）に示すように、スイッチ部材３の略真裏の領域に相当する基板部材９の第２面９ｒに当接するように設けられている。なお、第２音色調節部材２６は、基板部材９に対して垂直になるように設けられている。
【００３８】
これにより、基板部材９は、前述した第１ケース体４の複数の第１音色調節部材１４と第２ケース体６の複数の第２音色調節部材２６の両方から常に応力を受けた状態で保持されるようになっている。このため、スイッチ部材３を動作させた際に、スイッチ部材３が配置された部分の基板部材９が撓んだり振動したりすることを大幅に低減することができる。しかも、複数のスイッチ部材３の近傍領域の第１面９ｐと略真裏の領域の第２面９ｒとを押圧しているので、複数のスイッチ部材３の近傍の基板部材９を確実かつ均一に押さえることができる。このことにより、基板部材９のいずれの位置にあるスイッチ部材３に対して、スイッチ部材３の振動を抑えることができ、複数のスイッチ部材３の操作音を全て均一でキレのある音とすることができる。
【００３９】
また、本発明の第１実施形態では、第２ケース体６の第２音色調節部材２６は、図１６に示すように、基板部材９と当接する当接部２６ｓにおいて、第２ケース体６側から基板部材９側に向かって順次細くなっている。これにより、基板部材９と当接させる当接面の面積を小さくすることができる。このため、基板部材９の第２面９ｒに設けられた配線パターンと当接部２６ｓの当接面との接触を避けるレイアウトを行い易くできる。
【００４０】
更に、当接部２６ｓの先端部２６ｐ（図１６（ｂ）に示す）が基板部材９よりも柔らかい合成樹脂からなり、先端部２６ｐの形状が尖っている。これにより、先端部２６ｐと基板部材９との間に過剰な応力がかかった際には、先端部２６ｐが微少量つぶれることで、基板部材９にかかる応力を緩和することができる。このことにより、基板部材９にかかるダメージを軽減することができる。
【００４１】
以上のように構成された本発明の第１実施形態の操作スイッチ装置１０１における、効果について、検証結果を交えながら、以下に纏めて説明する。
【００４２】
図１７は、本発明の第１実施形態の操作スイッチ装置１０１の効果を説明する図であって、図１７（ａ）は、本発明の構成を用いた場合のスイッチ部材３の音の測定結果ＲＳを示したグラフであり、図１７（ｂ）は、本発明の構成を用いない場合の比較例におけるスイッチ部材の音の測定結果ＣＴを示したグラフである。具体的には、比較例は、複数の第１音色調節部材１４及び複数の第２音色調節部材２６が設けられていない。また、図１７の横軸は、周波数（Ｈｚ）を示し、縦軸は音量（ｄＢ）を示している。また、図１７のデータＳ１及びデータＴ１は、図１３に示すスイッチ部材３Ｂの近傍のスイッチ音を測定した結果であり、図１７のデータＳ２及びデータＴ２は、図１３に示すスイッチ部材３Ｆの近傍のスイッチ音を測定した結果である。
【００４３】
本発明の第１実施形態の操作スイッチ装置１０１は、基板部材９が、複数の第１音色調節部材１４と複数の第２音色調節部材２６の両方から常に応力を受けた状態で保持されているので、スイッチ部材３を動作させた際に、スイッチ部材３が配置された部分の基板部材９が撓んだり振動したりすることを大幅に低減することができる。しかも、複数のスイッチ部材３の近傍領域の第１面９ｐと略真裏の領域の第２面９ｒとを押圧しているので、複数のスイッチ部材３の近傍の基板部材９を確実かつ均一に押さえることができる。このことにより、基板部材９のいずれの位置にあるスイッチ部材３に対して、スイッチ部材３の振動を抑えることができ、複数のスイッチ部材３の操作音を全て均一でキレのある音とすることができる。
【００４４】
このことは、図１７に示す測定結果（ＲＳ、ＣＴ）からも明らかである。つまり、比較例のデータＴ１とデータＴ２とでは、各周波数における音量の差が大きくなっているが、本発明の第１実施形態のデータＳ１とデータＳ２とでは、各周波数における音量の差が大幅に小さくなっている。これにより、複数のスイッチ部材３の操作音を均一でキレのある音とすることができるといえる。
【００４５】
また、当接部２６ｓが第２ケース体６側から基板部材９側に向かって順次細くなっているので、これにより、基板部材９と当接させる当接面の面積を小さくすることができる。このため、基板部材９の第１面９ｐ或いは第２面９ｒに設けられた配線パターンと当接部１４ｓ或いは当接部２６ｓの当接面との接触を避けるレイアウトを行い易くできる。
【００４６】
また、当接部２６ｓの先端部２６ｐが基板部材９よりも柔らかい合成樹脂で、先端部２６ｐの形状がかつ尖っているので、先端部２６ｐと基板部材９との間に過剰な応力がかかった際には、先端部２６ｐが微少量つぶれることで、基板部材９にかかる応力を緩和することができる。このことにより、基板部材９にかかるダメージを軽減することができる。
【００４７】
また、ある１つの第１音色調節部材１４と複数のスイッチ部材３との距離が同じになるようにすることで、スイッチ部材３を動作させた際に生じる、スイッチ部材３が配置された部分の基板部材９の撓みや振動を１つの第１音色調節部材１４でバランス良く防止することができる。このため、基板部材９を押さえる第１音色調節部材１４のトータルの数を減らすことができるので、基板部材９上における当接箇所を減らすことができる。このことにより、当接箇所を回避した配線パターンのレイアウトをより行い易くできる。
【００４８】
なお、本発明は上記実施形態に限定されるものではなく、例えば次のように変形して実施することができ、これらの実施形態も本発明の技術的範囲に属する。
【００４９】
＜変形例１＞
上記第１実施形態では、第１音色調節部材１４及び第２音色調節部材２６の形状を円柱形状としたが、これに限るものではなく、例えば、その断面形状を四角形状や三角形状、或いは円筒形状と様々な形状にすることができる。また、この形状を調整することで、スイッチ部材３のスイッチ音の音色を調整することができる。
【００５０】
＜変形例２＞
上記第１実施形態では、第２ケース体６側の第２音色調節部材２６の当接部２６ｓにおいて、第２ケース体６側から基板部材９側に向かって順次細くなる形状にし、当接部２６ｓの先端部２６ｐが尖っている形状にしたが、第１音色調節部材１４と第２音色調節部材２６の少なくともいずれか一方に設ける構成でも良い。
【００５１】
＜変形例３＞
上記第１実施形態の第２ケース体６の底部６ｂに貫通孔を設けた構成がより好適である。これにより、複数のスイッチ部材３におけるスイッチ音の音色を均一化させ、調律された操作音とすることができる。また、本発明の操作スイッチ装置が適用された環境下で水分が侵入した際に、この貫通孔を排水用の排水孔としても利用できる。
【００５２】
＜変形例４＞
上記第１実施形態では、１２個のスイッチ部材３に対して、６個の第１音色調節部材１４を用いたが、これに限るものではない。複数のスイッチ部材３の配置によって適切に選定されるのが望ましい。また、基板部材９の配線パターン等と干渉しなければ、一対一にするのも好適である。
【００５３】
＜変形例５＞
上記第１実施形態では、１２個のスイッチ部材３に対して、１１個の第２音色調節部材２６をできるだけ多く用いたが、この数に限るものではない。また、基板部材９の配線パターン等と干渉しなければ、一対一にするのも好適である。
【００５４】
本発明は上記実施の形態に限定されず、本発明の目的の範囲を逸脱しない限りにおいて適宜変更することが可能である。
【符号の説明】
【００５５】
３、３Ａ、３Ｂ、３Ｃ、３Ｄ、３Ｅ、３Ｆ、３Ｇ  スイッチ部材
７３    金属製可動接点
４      第１ケース体
１４、１４Ａ、１４Ｂ、１４Ｃ、１４Ｄ、１４Ｅ、１４Ｆ  第１音色調節部材
１４ｓ  当接部
６      第２ケース体
２６    第２音色調節部材
２６ｐ  先端部
２６ｓ  当接部
９      基板部材
９ｐ    第１面
９ｒ    第２面
１０１  操作スイッチ装置
【図１】
0005939716.tif 000002
【図２】
0005939716.tif 000003
【図３】
0005939716.tif 000004
【図４】
0005939716.tif 000005
【図５】
0005939716.tif 000006
【図６】
0005939716.tif 000007
【図７】
0005939716.tif 000008
【図８】
0005939716.tif 000009
【図９】
0005939716.tif 000010
【図１０】
0005939716.tif 000011
【図１１】
0005939716.tif 000012
【図１２】
0005939716.tif 000013
【図１３】
0005939716.tif 000014
【図１４】
0005939716.tif 000015
【図１５】
0005939716.tif 000016
【図１６】
0005939716.tif 000017
【図１７】
0005939716.tif 000018
【図１８】
0005939716.tif 000019